(57)【要約】【課題】  光ディスクの高速アクセス性を活用しながら、記録動作中におけるスレッドモータ動作音のマイクへの混入を回避できる光ディスク記録再生装置およびその駆動方法を提供する。【解決手段】  本発明の光ディスク記録再生装置（ビデオカメラ）は、光学ピックアップのスレッド移動速度として、再生モード用の第１のスレッド移動速度設定値、記録モード用の第２のスレッド移動速度設定値および転送モード用の第３のスレッド移動速度設定値を有しており、動作モードに対応するスレッド移動速度設定値が選択される。ここで、記録モード用の第２のスレッド移動速度設定値は、再生モード用の第１のスレッド移動速度設定値よりも低速に設定され、転送モード用の第３のスレッド移動速度設定値は、再生モード用の第１のスレッド移動速度設定値よりも高速に設定される。【選択図】        図２
2006059391.tif 000002
【特許請求の範囲】
【請求項１】
被写体像を取り込み画像データを生成するカメラと、外部音を取り込み音声データを生成するマイクと、光ディスクへの前記画像データ及び音声データの書込みと前記光ディスクからの前記画像データ及び音声データの読出しとを行う光学ピックアップと、この光学ピックアップを前記光ディスクの径方向へ移動させるスレッド移動機構とを備えた光ディスク記録再生装置において、
前記光ディスクから前記画像データ及び音声データを読み出す再生モード用の第１のスレッド移動速度と、
この第１の移動速度よりも低速であり、前記光ディスクへ前記画像データ及び音声データを書き込む記録モード用の第２のスレッド移動速度と、
前記第１の移動速度よりも高速であり、前記光ディスクに記録された前記画像データ及び音声データを読み出して外部へ転送する転送モード用の第３のスレッド移動速度とを有し、
動作モードに応じて前記第１〜第３のいずれかのスレッド移動速度を選択する移動速度制御手段を備えた
ことを特徴とする光ディスク記録再生装置。
【請求項２】
前記移動速度制御手段は、前記スレッド移動機構の動作音量に応じて前記第２のスレッド移動速度を調整する調整手段を有する
ことを特徴とする請求項１に記載の光ディスク記録再生装置。
【請求項３】
カメラによって取り込まれた被写体像の画像データ及びマイクによって取り込まれた外部音の音声データを光学ピックアップを介して光ディスクへ書き込む記録モードと、前記光ディスクに記録された前記画像データ及び音声データを前記光学ピックアップを介して読み出す再生モードと、前記光ディスクに記録された前記画像データ及び音声データを前記光学ピックアップを介して読み出して外部へ転送する転送モードとを有する光ディスク記録再生装置の駆動方法において、
前記記録モードのときは、前記光学ピックアップのスレッド移動速度を前記再生モードのときに比べて低速で行うとともに、
前記転送モードのときは、前記光学ピックアップのスレッド移動速度を前記再生モードのときに比べて高速で行う
ことを特徴とする光ディスク記録再生装置の駆動方法。
【請求項４】
前記光学ピックアップのスレッド移動時の動作音を検出し、その動作音量が所定以下となるように前記記録モードにおけるスレッド移動速度を調整する
ことを特徴とする請求項３に記載の光ディスク記録再生装置の駆動方法。
【発明の詳細な説明】
【技術分野】
【０００１】
本発明は、家庭用ビデオカメラに用いて好適な光ディスク記録再生装置およびその駆動方法に関する。
【背景技術】
【０００２】
従来より、家庭用ビデオカメラといえば、８ｍｍテープやＤＶ（Digital Video）テープ等の磁気テープが記録メディアとして用いられているが、近年になって、ＤＶＤ（Digital Versatile Disk）−ＲＡＭ等に代表される光ディスクを記録メディアとして用いる機種が開発されている。
【０００３】
この光ディスクに動画を記録するタイプのビデオカメラは、ランダムアクセス能力に優れ、記録した画像をすぐに再生することができ、また、メディアと非接触で高速で情報を読み出すことが可能なので、ビデオカメラからパーソナルコンピュータあるいは家庭用ビデオ機器等の外部機器に高速で動画データを転送し編集を行うことができ、従来のテープ方式のビデオカメラにはなかった使い方ができるようになっている。
【０００４】
この種の従来のビデオカメラの動作例について図４を参照して説明する。図４は従来のビデオカメラのシステムブロック図である。
【０００５】
撮影時、カメラブロック１で取り込まれた被写体像の画像データとマイク（マイクロホン）２で取り込まれた外部音の音声データは信号処理ブロック３に送られ、この信号処理ブロック３において光ディスクＤに記録可能なフォーマットに変換される。変換されたデータは、メモリ４に一時的に蓄えられる。メモリ４に蓄えられたデータ量が所定量を超えると、コントローラ５により、メモリ４から画像データ及び音声データが読み出され、記録ブロック６へ送られる。
【０００６】
コントローラ５はまた、画像データ及び音声データを光ディスクＤに記録するために、制御ブロック７及び駆動ブロック８を介してスピンドルモータ９を駆動し、光ディスクＤを線速度一定（ＣＬＶ）で回転させる。その後、光学ピックアップ１０からレーザーを発光させ、ビームスポットを光ディスクＤの所定の記録位置に移動させるためにフォーカシングサーボをかけた後、スレッドモータ１１を駆動して光学ピックアップ１０を光ディスクＤの径方向へ移動させる。ビームスポットが所定の記録位置に到達した後、トラッキングサーボをかけてビームスポットを光ディスクＤのトラックに追従させる。そして、記録ブロック６はメモリ４から転送された画像データ及び音声データを光ディスクＤの記録トラックに書き込む。
【０００７】
なお、光ディスクＤに対する画像データ及び音声データの書込みに付随して、光ディスクＤからサーボエラー信号が読み出されて信号検出ブロック１２へ供給される。そして、このサーボエラー信号は信号検出ブロックから制御ブロック７へ供給され、光学ピックアップ１０によるトラッキングサーボ制御およびフォーカシングサーボ制御が行われる。
【０００８】
信号処理ブロック３からメモリ４へデータを転送するスピードに対して、メモリ４から光ディスクＤへデータを書き込むスピードの方が速いので、光ディスクＤへデータを書き込むに従ってメモリ４に蓄積されたデータは減少し、データ蓄積量が所定量以下になった場合、コントローラ５は、光ディスクＤへの書込みを中断する。そして、消費電力低減のため、サーボをオフにし、レーザーを消光し、更にスピンドルモータ９をオフとすることにより、メモリ４にデータが蓄積されるまでディスク駆動系を停止させる。
【０００９】
そして、引き続き撮影が続けられ、メモリ４へのデータ蓄積量が所定量を超えると、ディスク駆動系が稼働され、再び上述した光ディスクＤへのデータ書込制御が行われる。ビデオカメラの記録モードでは、上述したような光ディスクＤへのデータの間欠記録が行われる。
【００１０】
一方、再生モードでは、光ディスクＤに記録された画像データ及び音声データが光学ピックアップ１０を介して読み出される。このとき、読み出された画像データ及び音声データは、メモリ４に蓄積される。そして、コントローラ５により、メモリ４に蓄積された画像データ及び音声データが信号処理ブロック３に供給され、ここで再生フォーマットに変換された後、画像データが液晶パネル等の表示部１３へ供給されるとともに、音声データがスピーカ１４へ供給される。
【００１１】
なお、画像データ及び音声データとともに読み出されたサーボエラー信号が信号検出ブロック１２へ供給され、ここから制御ブロック７を介して光学ピックアップ１０によるトラッキングサーボ制御およびフォーカシングサーボ制御が行われる。
【００１２】
この再生モードにおいては、光ディスクＤからメモリ４への画像データ及び音声データを転送するスピードの方が、メモリ４から表示部１３及びスピーカ１４へデータを転送するスピードよりも速いので、光ディスクＤからデータを読み出すに従ってメモリ４に蓄積されるデータ量は増加し、データ蓄積量が所定量以上になった場合、コントローラ５は、光ディスクＤからのデータの読出しを中断し、ディスク駆動系を停止させる。
【００１３】
そして、引き続き再生が行われ、メモリ４のデータ蓄積量が所定以下となると、ディスク駆動系が稼働され、再び上述した光ディスクＤからのデータの読出し制御が行われる。このように、ビデオカメラの再生モードでは、データの間欠読出しが行われる。
【００１４】
更に、転送モードでは、光ディスクＤに記録された画像データ及び音声データが光学ピックアップ１０を介して読み出された後は、これら画像データ及び音声データは、信号処理ブロック３及び外部出力端子１５を介して、図示しないパーソナルコンピュータや家庭用ビデオ機器等の外部機器に転送される。つまり、転送モードでは、信号処理ブロック３によるデータの再生処理を行わないので、光学ピックアップ１０によるデータの読出しを連続的に行い、読み出したデータを順次、外部機器へ転送する。
【００１５】
光ディスクを動画データの記録媒体に用いた家庭用ビデオカメラは、以上のような動作を行う。
【００１６】
ところで、従来のビデオカメラの記録モードにおいては、サムネイルデータ等を格納する管理データも、画像データや音声データとともに光ディスクに記録される。これは、光ディスクのランダムアクセス性能を活かした高速の動画検索やデータの読出し等に必要となるデータであるが、必ずしも画像データや音声データの記録エリアに隣接して記録されるとは限らず、ある程度のシークを要する位置に記録される場合が多い。そのため、録画動作中は、データ記録のためにシーク動作が頻繁に行われることになる。
【００１７】
このように、この種のビデオカメラで録画動作を行う場合は、動作中に定常的にシーク動作を行うためにスレッドモータ１１頻繁に動作することになる。
【００１８】
【特許文献１】特開平８−１２４２７９号公報
【特許文献２】特開平１１−５３７４３号公報
【発明の開示】
【発明が解決しようとする課題】
【００１９】
しかしながら、録画動作中における光学ピックアップ１０のシーク動作音、すなわちスレッドモータ１１の動作音がビデオカメラの外部に漏出し、これがマイク２に入力され、動画データとともに光ディスクＤへ書き込まれてしまうという不都合がある。
【００２０】
特に、携帯性および操作性を高めるために小型化が要求される近年の家庭用ビデオカメラにおいては、限られた筐体スペース内に光ディスクＤの駆動系やカメラ、マイク等が収納されるため、スレッドモータ１１を含むディスク駆動系とマイク２とを離隔して配置することは非常に困難である。
【００２１】
一方、マイク２へのスレッドモータ１１の動作音の混入を抑えるための遮音材を追加することも勿論可能であるが、これではビデオカメラ全体が大型化してしまう。また、モータ動作音の低減を図るために光学ピックアップ１０のスレッド送り動作を低速化することも考えられるが、転送モードを行う場合には、光ディスクの高速アクセス性を無駄にすることになる。更に、スレッドモータ１１自体の静音化もあるが、コストの上昇を余儀なくされる。
【００２２】
本発明は上述の問題に鑑みてなされ、光ディスクの高速アクセス性を活用しながら、記録動作中におけるスレッドモータ動作音のマイクへの混入を回避できる光ディスク記録再生装置およびその駆動方法を提供することを課題とする。
【課題を解決するための手段】
【００２３】
以上の課題を解決するに当たり、本発明では、光学ピックアップのスレッド移動速度として異なる３種の速度設定値を有しており、移動速度制御手段により動作モードに応じて何れかの速度設定値が選択されるようにしている。即ち、再生モード用の第１のスレッド移動速度設定値と、記録モード用の第２のスレッド移動速度設定値と、転送モード用の第３のスレッド移動速度設定値である。本発明の光ディスク記録再生装置は、動作モードに応じて上記第１〜第３のいずれかのスレッド移動速度を選択する移動速度制御手段を備えている。
【００２４】
記録モード用の第２のスレッド移動速度設定値は、再生モード用の第１のスレッド移動速度設定値よりも低速に設定されている。これにより、記録動作中において、光学ピックアップのシーク時におけるスレッド移動動作音の低減を図ることができ、動作音のマイクへの混入が回避される。
【００２５】
また、転送モード用の第３のスレッド移動速度設定値は、再生モード用の第１のスレッド移動速度設定値よりも高速に設定されている。これにより、転送動作時において、光ディスクから読み出した情報を外部機器へ高速で送ることが可能となり、光ディスクの高速アクセス性を有効に利用することができるようになる。
【００２６】
上記移動速度制御手段は、スレッド移動機構の動作音量に応じて、記録モード用の第２のスレッド移動速度設定値を調整する機能を備えていても良い。例えば、撮影環境あるいは動作環境によっては、設定した第２のスレッド移動速度設定値では不十分な場合も考えられる。この場合は、記録動作に影響を与えない範囲で、更に当該第２のスレッド移動速度を低速化制御することにより、スレッド動作音の静音化を図ることができる。
【発明の効果】
【００２７】
本発明によれば、記録動作中における光学ピックアップのシーク時におけるスレッド動作音がマイクに混入するのを効果的に防止することができるので、動画データを高品位で記録することが可能となる。また、録画した動画データの外部機器への転送時には、光ディスクの優れたランダムアクセス性を有効に利用してデータの高速転送を実現することができる。
【発明を実施するための最良の形態】
【００２８】
以下、本発明の各実施の形態について図面を参照して説明する。
【００２９】
［第１の実施の形態］
図１は本発明の第１の実施の形態による光ディスク記録再生装置の機能ブロック図である。本実施の形態の光ディスク記録再生装置２０は、光ディスクとしてＤＶＤを記録媒体に用いた家庭用ビデオカメラで構成されている。
【００３０】
光ディスク記録再生装置２０は、カメラブロック２１、マイク（マイクロホン）２２、信号処理ブロック２３、メモリ２４、コントローラ２５、記録ブロック２６、制御ブロック２７、駆動ブロック２８、スピンドルモータ２９、光学ピックアップ３０、スレッドモータ３１、信号検出ブロック３２、表示部３３、スピーカ３４、外部出力端子３５、移動速度設定ブロック３６および移動速度設定値格納ブロック３７とで構成されている。これらの各構成は、共通のビデオカメラ筐体内に収納配置されている。
【００３１】
本実施の形態の光ディスク記録再生装置２０は、カメラブロック２１によって取り込まれた被写体像の画像データ及びマイク２２によって取り込まれた外部音の音声データを光学ピックアップ３０を介して光ディスクＤへ書き込む記録モードと、光ディスクＤに記録された画像データ及び音声データを光学ピックアップ３０を介して読み出す再生モードと、光ディスクＤに記録された画像データ及び音声データを光学ピックアップ３０を介して読み出して外部へ転送する転送モードとを有している。
【００３２】
カメラブロック２１は、ＣＣＤ（Charge Coupled Device）等の個体撮像素子やレンズ等を含んでなり、被写体像の画像データ（動画データ）を生成する。マイク２２は外部音を収音するためのもので、カメラブロック２１と同期して動作し、画像データに関連する音声データを生成する。
【００３３】
信号処理ブロック２３は、カメラブロック２１から供給される画像データとマイク２２から供給される音声データとを光ディスクＤに記録可能なフォーマットに変換し、変換したデータをメモリ２４へ蓄積する。また、信号処理ブロック２３は、光ディスクＤから読み出されたＲＦ信号から画像データ及び音声データを再生処理し、それぞれ表示部３３及びスピーカ３４へ供給する、あるいは、当該画像データ及び音声データを外部出力端子３５を介してこれに接続された外部機器（パーソナルコンピュータや家庭用ビデオ機器等）へ転送する。
【００３４】
コントローラ２５は、光ディスク記録再生装置２０の動作を統括制御する制御手段としての機能を有している。コントローラ２５は、制御ブロック２７および駆動ブロック２８を介してスピンドルモータ２９を駆動し、光ディスクＤを回転させる。その後、光学ピックアップ３０からレーザーを発光させ、ビームスポットを光ディスクＤの所定の記録位置に移動させるためにフォーカシングサーボをかけた後、スレッドモータ３１を駆動して光学ピックアップ３０を光ディスクＤの径方向へ移動させる。ビームスポットが所定の記録位置に到達した後、トラッキングサーボをかけてビームスポットを光ディスクＤのトラックに追従させる。
【００３５】
制御ブロック２７及び駆動ブロック２８は、信号検出ブロック３２にて検出されたサーボエラー信号に基づいて、光学ピックアップ３０のフォーカシングサーボ制御、トラッキングサーボ制御、スキューサーボ制御等を行うとともに、スピンドルモータ２９の回転数制御およびスレッドモータ３１の駆動制御を行う。
【００３６】
スレッドモータ３１は、光学ピックアップ３０を光ディスクＤの半径方向に移動させるスレッド移動機構を構成している。このスレッド移動機構は、スレッドモータ３１の回転駆動力を光学ピックアップ３０の直線駆動力に変換するためのラックギヤやスライドシャフト等を備えている。
【００３７】
光学ピックアップ３０のスレッド動作音は、スレッドモータ３１の駆動音、光学ピックアップ３０が移動する際のギヤ間の噛み込み音やシャフトの摺動音等が関係している。このスレッド動作音は、主に光学ピックアップ３０のシーク動作時に発生し、スレッド移動速度に比例して大きくなる。
【００３８】
そこで、本実施の形態では、光学ピックアップ３０のスレッド移動速度を複数用意しておき、光ディスク記録再生装置２０の動作モードに応じて、スレッド移動速度を設定するようにしている。
【００３９】
具体的に説明すると、これら複数のスレッド移動速度設定値は、移動速度設定値格納ブロック３７に固定値として格納されている。この移動速度設定値格納ブロック３７は、半導体メモリ等の記憶素子を用いることができる。移動速度設定値格納ブロック３７に格納された複数のスレッド移動速度設定値は、移動速度設定ブロック３６によって何れかひとつのスレッド移動速度設定値が選択される。移動速度設定ブロック３６は、光ディスク記録再生装置２０の動作モード（記録モード、再生モードあるいは転送モード）に応じて、予め対応付けられたスレッド移動速度設定値を選択する。上記動作モードは、コントローラ２５で判断される。
【００４０】
即ち、移動速度設定値格納ブロック３７には、再生モード用の第１のスレッド移動速度設定値と、記録モード用の第２のスレッド移動速度設定値と、転送モード用の第３のスレッド移動速度設定値の３種類のスレッド移動速度設定値が格納されている。ここで、第２のスレッド移動速度設定値（記録用）は第１のスレッド移動速度設定値（再生用）よりも低速度に設定されており、第３のスレッド移動速度設定値（転送用）は第１のスレッド移動速度設定値（再生用）よりも高速度に設定されている。
【００４１】
これら第１〜第３のスレッド移動速度設定値は、機器の仕様に応じて適宜選定することができる。本実施の形態では、再生モード用の第１のスレッド移動速度は、上述した従来のビデオカメラにおいて適用されているスレッド移動速度（記録、再生、転送共通）が設定されている。一方、記録モード用の第２のスレッド移動速度は、記録動作に影響を与えない範囲の低速度に設定され、スレッド動作音の音量が所定以下となるようにしている。また、転送モード用の第３のスレッド移動速度は、転送動作に影響を与えない限りにおいて高速度に設定することができる。
【００４２】
なお、コントローラ２５、移動速度設定ブロック３６および移動速度設定値格納ブロック３７により、本発明の「移動速度制御手段」が構成される。
【００４３】
次に、本実施の形態の光ディスク記録再生装置２０の詳細を、その動作例と併せて説明する。図２は、光ディスク記録再生装置２０の動作の一部を説明するフローチャートである。
【００４４】
コントローラ２５は、当該光ディスク記録再生装置２０の動作モードを常時確認している（ステップＳ１）。動作モード（記録、再生、転送）の切替は、ユーザーにより操作される切替スイッチ４０（図１）によって行われる。
【００４５】
そこで、切替スイッチ４０がカメラ機能に切り替えられると、コントローラ２５は動作モードとして光ディスクＤへの記録モードを確認する。これを受けて、移動速度設定ブロック３６は、移動速度設定値格納ブロック３７から記録モード用の第２のスレッド移動速度設定値を選択し（ステップＳ２，Ｓ３）、選択したスレッド移動速度設定値を制御ブロック２７へ入力する（ステップＳ４）。
【００４６】
ここで本実施の形態では、スレッドモータ３１が直流モータで構成され、光学ピックアップ３０のスレッド移動速度の調整には、スレッドモータ３１の駆動電圧を調整する。従って、上記ステップＳ４においては、選択されたスレッド移動速度設定値に対応する駆動電圧が設定される。なお、スレッドモータ３１がパルスモータで構成される場合には、スレッド移動速度設定値に対応するデューティ比が設定されることなる。
【００４７】
次いで、ユーザーにより記録開始ボタンが押動されると、記録動作が開始される（ステップＳ５）。カメラブロック２１によって取り込まれた被写体画像の画像（動画）データと、マイク２２によって取り込まれた外部音の音声データは、信号処理ブロック２３で光ディスクＤに記録可能なフォーマットに変換される。変換されたデータは一時的にメモリ２４に蓄えられる。メモリ２４に蓄えられたデータ量が所定量を超えると、コントローラ２５により、メモリ２４から画像データ及び音声データが読み出され、記録ブロック２６へ送られる。
【００４８】
コントローラ２５はまた、制御ブロック２７及び駆動ブロック２８を介してスピンドルモータ２９を駆動し、光ディスクＤを線速度一定（ＣＬＶ）で回転させる。その後、光学ピックアップ３０からレーザーを発生させ、ビームスポットを光ディスクＤの所定の記録位置に移動させるためにフォーカシングサーボをかけた後、スレッドモータ３１を第２のスレッド移動速度で駆動して光学ピックアップ３０を光ディスクＤの径方向へ移動させる。ビームスポットが所定の記録位置に到達した後、トラッキングサーボをかけてビームスポットを光ディスクＤのトラックに追従させる。そして、記録ブロック２６はメモリ２４から転送された画像データ及び音声データを光ディスクＤの記録トラックに書き込む。
【００４９】
信号処理ブロック２３からメモリ２４へデータを転送するスピードに対して、メモリ２４から光ディスクＤへデータを書き込むスピードの方が速いので、光ディスクＤへデータを書き込むに従ってメモリ２４に蓄積されたデータは減少し、データ蓄積量が所定量以下になった場合、コントローラ２５は、光ディスクＤへの書込みを中断する。そして、消費電力低減のため、サーボをオフにし、レーザーを消光し、更にスピンドルモータ２９をオフとすることにより、メモリ２４にデータが蓄積されるまで、ディスク駆動系を停止させる。
【００５０】
そして、引き続き撮影が続けられ、メモリ２４へのデータ蓄積量が所定量を超えると、ディスク駆動系が稼働され、再び上述した光ディスクＤへのデータ書込制御が行われる。ビデオカメラの記録モードでは、上述したような光ディスクＤへのデータの間欠記録が行われる。
【００５１】
ところで、本実施の形態のビデオカメラ（光ディスク記録再生装置２０）の記録モードにおいても、上述した従来のビデオカメラと同様に、サムネイルデータ等を格納する管理データも、画像データや音声データとともに光ディスクＤに記録される。これは、光ディスクのランダムアクセス性能を活かした高速の動画検索やデータの読出し等に必要となるデータであるが、必ずしも画像データや音声データの記録エリアに隣接して記録されるとは限らず、ある程度のシークを要する位置に記録される場合が多い。そのため、録画動作中は、データ記録のためにシーク動作が頻繁に行われることになる。
【００５２】
このとき、本実施の形態においては、制御ブロック２７に記録モード用の第２のスレッド移動速度が設定されているので、シーク動作時における光学ピックアップ３０のスレッド移動速度は、再生モード時のスレッド移動速度よりも低速で行われることになる。
【００５３】
一方、切替スイッチ４０がビデオ機能に切り替えられると（ステップＳ６）、コントローラ２５は動作モードとして光ディスクＤの再生モードを確認する（ステップＳ１）。これを受けて、移動速度設定ブロック３６は、移動速度設定値格納ブロック３７から再生モード用の第１のスレッド移動速度設定値を選択し（ステップＳ２，Ｓ７，Ｓ８）、選択したスレッド移動速度設定値を制御ブロック２７へ入力する（ステップＳ４）。そして、以下の再生動作が行われる（ステップＳ５）。
【００５４】
コントローラ２５は、光学ピックアップ３０からレーザーを発光させ、ビームスポットを光ディスクＤの所望の読取位置に移動させるためフォーカシングサーボをかけた後、スレッドモータ３１を駆動制御して、光学ピックアップ３０を設定した第１のスレッド移動速度で移動させる。ビームスポットが所望のトラック読取位置に到達した後、トラッキングサーボをかけて、ビームスポットを光ディスクＤ上のトラックに追従させる。
【００５５】
光ディスクＤに記録されている画像データ及び音声データは光学ピックアップ３０を介して読み出され、これが一旦メモリ２４に蓄積される。蓄積されたデータは同時に信号処理ブロック２３に読み出され、再生処理が行われた後、表示部３３に画像データが送られるとともに、スピーカ３４に音声データが送られる。
【００５６】
この再生モードにおいても、光学ピックアップ３０は光ディスクＤに記録されたサムネイルデータ等の管理データを読み出すために所定のシーク動作が行われる。この場合、上述した記録モードに比べて高速の第１のスレッド移動速度にてシーク動作が行われる。信号処理ブロック２３にてメモリ２４に蓄積されたデータを再生処理するスピードよりも、光ディスクＤから光学ピックアップ３０でデータを読み出すスピードの方が速いので、光ディスクＤからのデータの読出し動作は間欠的となる。読出し動作の休止中はサーボがオフとされ、光ディスク駆動系の消費電力が低減される。
【００５７】
次に、切替スイッチ４０が転送モードに切り替えられると、コントローラ２５はこれを確認し、移動速度設定ブロック３６により移動速度設定値格納ブロック３７から転送モード用の第３のスレッド移動速度設定値が選択され（ステップＳ７，Ｓ９）、選択した転送用の第３のスレッド移動速度設定値が制御ブロック２７へ入力される（ステップＳ４）。
【００５８】
転送モードにおいては、再生モードと同様に光ディスクＤに記録された画像データ及び音声データが光学ピックアップ３０を介して読み出されるものの、信号処理ブロック２３にて所定の再生レートに準拠した処理が行われることなく、外部出力端子３５を介してパーソナルコンピュータ等の外部機器へ、そのまま読み出したデータが転送される。したがって、上述した再生モードに比べて高速でデータの読出しが行われる。
【００５９】
この転送モードにおいても、光学ピックアップ３０は光ディスクＤに記録されたサムネイルデータ等の管理データを読み出すために所定のシーク動作が行われる。この場合、上述した再生モードに比べて高速の第３のスレッド移動速度にてシーク動作が行われる。
【００６０】
以上説明したように、本実施の形態によれば、記録モード用の第２のスレッド移動速度が再生モード用の第１のスレッド移動速度よりも低速に設定されているので、記録モード時のシーク動作に起因するスレッド動作音の低減を図ることができ、これによりスレッド動作音のマイク２２への混入を回避して、高品質の動画データを記録することができるようになる。
【００６１】
また、記録モード時に比べて、再生モード時のシーク動作を高速で行うことができるので、間欠動作のドライブ休止時間を長くとることができ、これにより、光ディスクの高速アクセス性を有効に活用することができるとともに、光ディスク駆動系の消費電力低減を図ることが可能となる。
【００６２】
更に、高速でデータをパーソナルコンピュータ等の外部機器に転送する場合には、信号処理の一部を転送した先の機器で実行させることで、信号処理ブロック２３で要する時間を削減し、メモリ２４にはほとんどデータを蓄積せずに行うことも可能であるので、本実施の形態のように、再生モード時よりも高速のスレッド移動速度で転送モード時のシーク動作を行わせることにより、データの転送処理速度の更なる向上を図ることができる。
【００６３】
［第２の実施の形態］
次に、本発明の第２の実施の形態について説明する。
【００６４】
上述の第１の実施の形態では、記録モード用の第２のスレッド移動速度設定値は、固定値として移動速度設定値格納ブロック３７に格納していた。しかし、ビデオカメラの撮影環境あるいは動作環境によっては、設定されているスレッド移動速度でもスレッド動作音の混入により画品位が劣化する場合も想定される。そこで、本実施の形態では、この記録モード用の第２のスレッド移動速度設定値を再設定できる調整機能を備えさせ、撮影環境に合わせてスレッド動作音の適正化を図れるようにしている。
【００６５】
図３は記録モード時のスレッド移動速度調整方法を説明する工程フローである。この工程は、例えば、ビデオカメラ２０の電源投入後の初期設定時に実行される。
【００６６】
まず、移動速度設定値格納ブロック３７に格納されている記録モード用の第２のスレッド移動速度の初期設定値を読み出して、これを制御ブロック２７へ設定する（ステップＳ１１）。この条件でスレッドモータ３１を駆動し、光学ピックアップ３０をスレッド動作させる（ステップＳ１２）。そして、このときのモータ音（動作音）をマイク２２で取り込む（ステップＳ１３）。次いで、マイク２２で取り込んだモータ音の音量を予め用意された所定値（基準値）と比較し（ステップＳ１４）、これが所定値以下であれば、現在設定されているスレッド移動速度設定値を維持する（ステップＳ１５）。
【００６７】
これに対して、取り込んだモータ音が所定値を超えている場合は、記録モード用の第２のスレッド移動速度設定値として、現在設定されている速度設定値よりも所定量低くした速度設定値を設定する（ステップＳ１６）。そして、設定し直した速度設定値で再度スレッド動作させ、そのときのモータ音を測定し、これが所定値以下となるまで以上の処理を続ける。
【００６８】
以上の説明では、モータ音が所定値を超えている場合、スレッド移動速度設定値を所定量ずつ低下させる例を挙げたが、これ以外にも、測定したモータ音の音量レベルに対応する速度設定値を演算して最適な速度設定値に更新したり、モータ音の音量レベルに対応して予め作成しておいたテーブル内から最適な速度設定値を選択する等の方法も適用可能である。
【００６９】
以上、本発明の各実施の形態について説明したが、勿論、本発明はこれらに限定されることなく、本発明の技術的思想に基づいて種々の変形が可能である。
【００７０】
例えば以上の実施の形態では、光ディスクＤとしてＤＶＤ（Digital Versatile Disk）を記録媒体に用いた家庭用ビデオカメラを例に挙げて説明したが、ＭＤ（Mini-Disk）等の他の光ディスクを記録媒体に用いた光ディスク記録再生装置にも、本発明は適用可能である。
【図面の簡単な説明】
【００７１】
【図１】本発明の第１の実施の形態による光ディスク記録再生装置２０の機能ブロック図である。
【図２】光ディスク記録再生装置２０の作用を説明するフロー図である。
【図３】本発明の第２の実施の形態の作用を説明するフロー図である。
【図４】従来の光ディスク記録再生装置の機能ブロック図である。
【符号の説明】
【００７２】
２０…光ディスク記録再生装置（ビデオカメラ）、２１…カメラブロック、２２…マイク、２３…信号処理ブロック、２４…メモリ、２５…コントローラ、２６…記録ブロック、２７…制御ブロック、２８…駆動ブロック、２９…スピンドルモータ、３０…光学ピックアップ、３１…スレッドモータ、３２…信号検出ブロック、３３…表示部、３４…スピーカ、３５…外部出力端子、３６…移動速度設定ブロック、３７…移動速度設定値格納ブロック、Ｄ…光ディスク。
【図１】
2006059391.tif 000003
【図２】
2006059391.tif 000004
【図３】
2006059391.tif 000005
【図４】
2006059391.tif 000006